(57)【要約】【課題】  電極マスクや超音波マスク等の美顔トリートメント用マスクを顔面に不動に固定する。【解決手段】  ジェルマスク１０は、目、鼻、口の部分に穴１１が開けられた袋体１２に、ジェル１３を封入してなるものである。袋体１２内には、複数の堰１５が設けられており、この堰１５には穴等のジェルの流動口が必要に応じて設けられている。このジェルマスク１０を電極マスク又は超音波マスクと共に顔面に重ねて用いることにより、ジェル１３が重しになると共に、その弾褥性により電極マスクや超音波マスクを顔に不動にフィットさせることができる。このため、電極マスクの電極、超音波マスクの超音波振動子がトリートメント中にずれてしまうことをなくすことができる。また、堰１５及び流動口を設けたことにより、ジェルマスク１０内部のジェル１３を均一にすることができる。【選択図】        図１
2007037657.tif 000002
【特許請求の範囲】
【請求項１】
目、鼻、口の部分に穴を設けたシートの所定位置に、人の顔面の所定箇所へ電位を与える電極を配置してなる電極マスクと、
該電極マスクに対応する平面形状を有する袋体にジェルを封入してなり、前記電極マスクの上に重ねられて所定箇所を抑えることによって前記人の顔面へ密着させるジェルマスクと、
を有することを特徴とする美顔器用マスク。
【請求項２】
目、鼻、口の部分に穴を設けたシートの所定位置に、人の顔面の所定箇所へ超音波を放射する振動子を配置してなる超音波マスクと、
該超音波マスクに対応する平面形状を有する袋体にジェルを封入してなり、前記超音波マスクの上に重ねられて所定箇所を抑えることによって前記人の顔面へ密着させるジェルマスクと、
を有することを特徴とする美顔器用マスク。
【請求項３】
前記ジェルマスクの上に重ねられ、前記人の頭部が載せられた枕に連結されて前記ジェルマスクおよび電極マスクを前記人の顔面に固定するハードマスクをさらに有することを特徴とする請求項１また２に記載の美顔器用マスク。
【請求項４】
前記袋体内部に堰を設けたことを特徴とする請求項１ないし３のいずれかに記載の美顔器用マスク。
【請求項５】
前記袋体内部に仕切り壁を設けたことを特徴とする請求項１ないし４のいずれかに記載の美顔器用マスク。
【請求項６】
前記堰及び／又は仕切り壁で仕切られた空間内のジェルを互いに流動させる流動口を設けたことを特徴とする請求項５記載の美顔器用マスク。
【発明の詳細な説明】
【技術分野】
【０００１】
本発明は、美顔トリートメントを行う場合に顔面に当てて使用される美顔器用マスクに関するものである。
【背景技術】
【０００２】
従来より、マスクを用いて美顔トリートメントを行う美顔器及びマスクとして、マスクに複数の柔らかな振動子を設け、この振動子を超音波振動させるようにしたもの（例えば、特許文献１参照）、マスクに複数の電極を設け、電極から顔に電流を通じるようにしたもの（例えば、特許文献２参照）、袋からなるマスクに炭粉末等の炭素系物質を封入し、炭素系物質から放射される遠赤外線により美顔効果を得るようにしたもの（例えば、特許文献３参照）、マスクに複数の突起を設け、マスクの外から指で突起を介して顔面マッサージをするようにしたもの（例えば、特許文献４参照）等、種々のものが提案されている。
【特許文献１】特開２００４−２６１４０９号公報
【特許文献２】特開２００３−３３９８８４号公報
【特許文献３】特開２００４−１１３５１１号公報
【特許文献４】特開２０００−２０１７３４号公報
【発明の開示】
【発明が解決しようとする課題】
【０００３】
しかしながら、上記の各従来技術で用いられる美顔器用マスクは、マスクを顔に装着してトリートメントを行っている間にマスクがずれてしまい、トリートメントに支障を来すことがあった。マスクを顔に固定するために紐やバンドを設けたり、マスクの顔に当てる面に顔の凹凸に合わせた凹凸を設ける等のいろいろな手段が講じられているが、それでもトリートメントが長時間に及ぶとマスクがずれてしまうことがあった。
従って、本発明はマスクを顔にしっかりと位置決めして固定することができる美顔器用マスクを提供することを課題とする。
【課題を解決するための手段】
【０００４】
本発明による美顔器用マスクは、目、鼻、口の部分に穴を設けたシートの所定位置に、人の顔面の所定箇所へ電流を流す電極を配置してなる電極マスクと、該電極マスクに対応する平面形状を有する袋体にジェルを封入してなり、前記電極マスクの上に重ねられて所定箇所を抑えることによって前記人の顔面へ密着させるジェルマスクとを有することを特徴とする。また、前記電極マスクに代えて、人の顔面の所定箇所へ超音波を放射する振動子を配置してなる超音波マスクを用いたものである。
また本発明は、前記ジェルマスクの上に重ねられ、前記人の頭部が載せられた枕に連結されて前記ジェルマスクおよび電極マスクを前記人の顔面に固定するハードマスクをさらに有することを特徴とする。
また本発明は、前記袋体内部に堰を設けたことを特徴とする。
また本発明は、前記袋体内部に仕切り壁を設けたことを特徴とする。
また本発明は、前記堰及び／又は仕切り壁で仕切られた空間内のジェルを互いに流動させる流動口を設けたことを特徴とする。
【発明の効果】
【０００５】
本発明によれば、電極マスク又は超音波マスクを顔に被せ、その上に本発明の美顔器用マスクを重ねることにより、ジェルを封入した袋体は弾褥性のある重しになるので、電極マスク又は超音波マスクを顔にフィットさせて不動に固定することができる。このため電極マスクの電極、あるいは超音波マスクの振動子がトリートメント中にずれてしまうことがなくなり、安定した動作を得ることができ、トリートメント効果を向上させることができる。
【発明を実施するための最良の形態】
【０００６】
以下、本発明の実施の形態を図面と共に説明する。
図１は本発明の実施の形態による美顔器用マスクとしてのジェルマスク１０を示す正面図、図２は要部の断面斜視図である。
図１、図２において、ジェルマスク１０は、目、鼻、口の部分に穴１１が開けられた袋体１２に、ジェル（ｇｅｌ）１３を封入してなるものである。袋体１２には、左右の耳当て部１４が一体的に設けられている。袋体１２内部には、図２（a）に示すように複数の堰１５が設けられており、堰１５にはジェル１３の流動口１６が必要に応じて設けられている。この流動口１６は図２（a）のように堰１５に空けた穴でもよいし、図２（b）のように袋体１２の上下に堰１５を設け、それらの間を流動口１６としてもよく、その他様々の構成であってよい。また、袋体１２には取り付け用ベルト１７が設けられると共に、後述する専用枕やハードマスク４０等に取り付け接続するための取り付け穴、ホック等からなる複数の取付け用係止具１８が設けられている。
【０００７】
図３（a）はジェルマスク１０を適用し得る電極マスク２０を示し、図３（b）は超音波マスク３０を示すものである。
図３（a）において、電極マスク２０は厚手の柔らかいビニール素材等からなり、目、鼻、口、顎の部分に穴２１が空けられると共に、顔面に当てる面２０ａには複数(図では１２対、２４個)の電極２２が配置されている。また、各電極２２と接続されるケーブル２３が設けられ、ケーブル２３にはコネクタ２４が設けられている。コネクタ２４は後述する図５のコントローラ７０に接続される。
【０００８】
図３（b）において、超音波マスク３０は、枠３１に６個の圧電素子からなる振動子３２が配置されると共に、プラグ３３を有するケーブル３４が設けられ、さらに固定用のベルト３５が設けられている。プラグ３３はコントローラに接続される。
【０００９】
図４（a）はハードマスク４０を示し、（b）はガイドシート５０を示し、（ｃ）は化粧水マスク６０を示す。これらのマスクは電極マスク２０又は超音波マスク３０と重ねて使用されるものである。
図４（a）のハードマスク４０は、枠４１に大きな穴４２を有し、取り付け用ベルト４３，４４が設けられている。（b）のガイドシート５０は、目、鼻、口、顎の部分に穴５１が開けられると共に、電極マスク２０の各電極２２と対応する位置にガイド穴５２が設けられている。ガイド穴は○印の印刷でもよい。また、（ｃ）の化粧水マスク６０は、目、鼻、口、の部分に穴６１が空けられると共に、化粧水が沁み込ませてある。化粧水マスクは、トリートメント直前に、目的に応じた化粧水を染み込ませるものでもよい。
【００１０】
図５は電極マスク２０及び超音波マスク３０が接続されるコントローラ７０の外観図である。
図５において、コントローラ７０には、電源スイッチ７１、液晶表示部７２、その他種々のスイッチが設けられると共に、電力出力口７３、超音波出力口７４及びアース接続口７５が設けられている。電力出力口７３には電極マスク２０のケーブル２３のコネクタ２４が接続される。超音波出力口７４には、超音波マスク３０のケーブル３４のプラグ３３が接続される。アース接続口７５は、ユーザの手首等に巻かれたアース用導電性バンド（図示せず）にケーブルを介して接続される。また、電源コード７５は、ＡＣ／ＤＣ変換アダプタ(図示せず)を介してＡＣ電源に接続される。
【００１１】
次に、上記構成によるジェルマスク１０、電極マスク２０、超音波マスク３０、ハードマスク４０、ガイドシート５０、化粧水マスク６０及びコントローラ７０を用いて美顔トリートメントを行う場合の動作について説明する。
まず、トリートメントの準備を行う。トリートメントが施されるユーザを仰向けに寝かせ、頭にタオルを巻いて専用の枕で保持する。次に、化粧水を十分に沁みこませた化粧水マスク６０をユーザの顔面に被せる。次に、ガイドシート５０を被せて電極の当たり位置、顔のサイズを確認し、化粧水マスクの上に電極マスク２０を被せる。このとき、電極マスク２０の各電極２２が化粧水マスク６０に接触するようにする。
【００１２】
次に、ジェルマスク１０を被せて図６の状態にする。ジェルマスク１０はジェル１３で満たされているため、適度に重く、かつ全体が弾褥性を有している。このため図６の状態では、ジェルマスク１０が顔面に重しとなって被さり、化粧水マスク６０及び電極マスク２０を通して顔面の凹凸にフィットし、これらの化粧水マスク６０及び電極マスク２０を不動に位置決めすることができる。
【００１３】
次に、ハードマスク４０を被せてその取り付け用ベルト４３，４４及びジェルマスク１０の取り付け用ベルト１７を上記専用枕８０に設けられたベルト８１のバックルに通して締め付けると共に、取付け係止具１８を専用枕８０及びハードマスク４０側の取付け係止具に係止させることにより、各マスクを顔面にフィットした状態でしっかりと不動に固定することができる。
【００１４】
次に、この状態で電極マスク２０のコネクタ２４をコントローラ７０の電力出力口７３に接続する。そして、コース選択スイッチによりトリートメントコースを選択してスタートスイッチを押すことにより、そのコースに応じた出力が行われ、電極２２に所定の電流が通電されてトリートメントが行われる。
【００１５】
電極マスク２０を用いたトリートメントが終了したら、各マスクを外し、次に超音波マスク３０を用いた超音波振動によるトリートメントを行う。この場合は、超音波マスク３０、ジェルマスク１０及びハードマスク４０を顔面に重ねて被せ、専用枕８０に取り付けて固定する。次に、コントローラ７０の超音波出力口７４に超音波マスク３０のプラグ３３を接続してスタートスイッチを押すことにより、各振動子３２が超音波振動してトリートメントが行われる。
【００１６】
本実施の形態によれば、ジェルマスク１０を用いたことにより、ジェル１３が重しになって電極マスク２０、超音波マスク３０を顔にフィットさせることができるので、電極２２や振動子３２がトリートメント中にずれてしまうことがなくなる。このため安定した動作を得ることができ、美顔トリートメント効果を向上させることができる。また、袋体１２の内部に堰１５を設けたことにより、袋体１２内部でジェル１３が片寄ってしまうことを防ぎ、ジェル１３を均一にすることができる。さらに流動口１６を設けてジェル１３を流動口１６から自由に出入りさせることで、より均一にすることができる。
【００１７】
尚、上記実施の形態においては、ジェルマスク１０の袋体１２の内部に堰１５を設け、堰１５にジェル１３の流動口１６を設けているが、袋体１２の内部を例えば格子状の壁で仕切ってジェル１３で満たされた複数の空間を形成し、その仕切り壁に流動口となる穴を開けて各空間内のジェル１３を流動させるようにしてもよい。また、堰と仕切り壁を併用してもよい。また、ジェルマスク１０は、必ずしも電極マスク２０、超音波マスク３０と共に使用されるものでなく、他のマッサージ用マスクや遠赤外線マスク等と共に用いることができる。
【図面の簡単な説明】
【００１８】
【図１】本発明の実施の形態による美顔器用マスクとしてのジェルマスクの正面図である。
【図２】ジェルマスクの要部断面斜視図である。
【図３】本発明を適用し得る電極マスク及び超音波マスクの正面図である。
【図４】電極マスク及び超音波マスクと共に用いられるハードマスク、ガイドシート、化粧水マスクの正面図である。
【図５】コントローラの外観斜視図である。
【図６】ジェルマスクの使用状態を示す斜視図である。
【符号の説明】
【００１９】
１０  ジェルマスク
１２  袋体
１３  ジェル
１５  堰
１６  流動口
【図１】
2007037657.tif 000003
【図２】
2007037657.tif 000004
【図３】
2007037657.tif 000005
【図４】
2007037657.tif 000006
【図５】
2007037657.tif 000007
【図６】
2007037657.tif 000008